(57)【要約】  ＲＧＢ光スペクトルエネルギ再構成に基づいて色温度を調節する方法、非一時的コンピュータ可読記憶媒体および端末装置（１０００）を提供する。方法は、最初の状態の画面のＲＧＢ光スペクトルエネルギを検出する工程（Ｓ１１０）と、フィルタリングされる青色光の比率および適合予定の目標色温度に対応するＲＧＢ光スペクトルエネルギの再構成比率を、予め学習したＲＧＢ光スペクトルエネルギ分布情報にしたがって決定する工程（Ｓ１２０）と、再構成比率にしたがってＲＧＢ光スペクトルエネルギを調節することで、青色光フィルタリング操作を受けた画面のＲＧＢ光スペクトルエネルギが目標色温度に適合することを可能にする工程（Ｓ１３０）と含む。
2020505631.tif 000002
【特許請求の範囲】
【請求項１】
ＲＧＢ光スペクトルエネルギ再構成に基づいて色温度を調節する方法であって、
最初の状態の画面のＲＧＢ光スペクトルエネルギを検出する工程（Ｓ１１０）と、
フィルタリングされる青色光の比率および適合予定の目標色温度に対応する前記ＲＧＢ光スペクトルエネルギの再構成比率を、予め学習したＲＧＢ光スペクトルエネルギ分布情報にしたがって決定する工程（Ｓ１２０）と、
前記再構成比率にしたがって前記ＲＧＢ光スペクトルエネルギを調節することで、青色光フィルタリング操作を受けた前記画面の前記ＲＧＢ光スペクトルエネルギが前記目標色温度に適合するようにする工程（Ｓ１３０）と
を備える方法。
【請求項２】
前記方法は、
異なる色温度にそれぞれ対応する異なるＲＧＢ光スペクトルエネルギ分布状態を予め学習して、前記予め学習したＲＧＢ光スペクトルエネルギ分布情報を得る工程
をさらに備える、請求項１に記載の方法。
【請求項３】
異なる色温度にそれぞれ対応する異なるＲＧＢ光スペクトルエネルギ分布状態を予め学習して、前記予め学習したＲＧＢ光スペクトルエネルギ分布情報を得る工程は、
前記画面に前記青色光フィルタリング操作を行なって、フィルタリングされた青色光の比率を得る工程と、
所定の色温度に適合するまで前記所定の色温度にしたがって前記最初の状態の前記画面の前記ＲＧＢ光スペクトルエネルギを調節する工程と、
前記ＲＧＢ光スペクトルエネルギ分布情報にテストデータを記録する工程であって、前記テストデータは前記フィルタリングされた青色光の比率、前記所定の色温度および前記ＲＧＢ光スペクトルエネルギの再構成比率の対応づけを備える、工程と
を備える、請求項２に記載の方法。
【請求項４】
異なる色温度にそれぞれ対応する異なるＲＧＢ光スペクトルエネルギ分布状態を予め学習して、前記予め学習したＲＧＢ光スペクトルエネルギ分布情報を得る工程は、
フィルタリングされた青色光の比率に対する複数の色温度をユーザに提示する工程と、
前記複数の色温度に対して前記ユーザによってフィードバックされる評価情報を受ける工程と、
評価情報が肯定的である第１の色温度と、前記第１の色温度とともに提示された前記ＲＧＢ光スペクトルエネルギの比率とを決定する工程と、
前記ＲＧＢ光スペクトルエネルギ分布情報にテストデータを記録する工程であって、前記テストデータは前記フィルタリングされた青色光の比率、前記第１の色温度および前記ＲＧＢ光スペクトルエネルギの前記比率の対応づけを備える、工程と
を備える、請求項２に記載の方法。
【請求項５】
前記再構成比率にしたがって前記ＲＧＢ光スペクトルエネルギを調節することで、青色光フィルタリング操作を受けた前記画面の前記ＲＧＢ光スペクトルエネルギが前記目標色温度に適合するようにする工程（Ｓ１３０）は、
青色光、緑色光および赤色光にそれぞれ対応する複数の第１のエネルギ調節モジュールによって前記再構成比率にしたがって前記ＲＧＢ光スペクトルエネルギに対する最初の調節を行なう工程と、
前記複数の第１のエネルギ調節モジュールによって最初に調節された前記ＲＧＢ光スペクトルエネルギに対するさらなる調節を、青色光、緑色光および赤色光にそれぞれ対応する複数の第２のエネルギ調節モジュールによって行なうことで、前記青色光フィルタリング操作を受けた前記画面の前記ＲＧＢ光スペクトルエネルギが前記目標色温度に適合するようにする工程と
を備える、請求項１から４のいずれか一項に記載の方法。
【請求項６】
前記再構成比率にしたがって前記ＲＧＢ光スペクトルエネルギを調節することで、青色光フィルタリング操作を受けた前記画面の前記ＲＧＢ光スペクトルエネルギが前記目標色温度に適合するようにする工程（Ｓ１３０）は、
青色光、緑色光および赤色光にそれぞれ対応する複数の第３のエネルギ調節モジュールによって前記再構成比率にしたがって前記画面の前記ＲＧＢ光スペクトルエネルギを調節することで、前記青色光フィルタリング操作を受けた前記画面の前記ＲＧＢ光スペクトルエネルギが前記目標色温度に適合するようにする工程
を備える、請求項１から４のいずれか一項に記載の方法。
【請求項７】
前記再構成比率にしたがって前記ＲＧＢ光スペクトルエネルギを調節することで、青色光フィルタリング操作を受けた前記画面の前記ＲＧＢ光スペクトルエネルギが前記目標色温度に適合するようにする工程（Ｓ１３０）は、
青色光、緑色光および赤色光にそれぞれ対応する複数の第３のエネルギ調節モジュールによって前記最初の状態の前記画面の前記ＲＧＢ光スペクトルエネルギを調節する工程と、
前記画面の前記調節済みＲＧＢ光スペクトルエネルギにしたがって現在の色温度を取得し、前記現在の色温度が前記所定の色温度に適合するか否かを決定する工程と、
前記現在の色温度が前記所定の色温度に適合しないときに、前記所定の色温度に適合するまで前記調節済みＲＧＢ光スペクトルエネルギを調節し続ける工程と
を備える、請求項１から４のいずれか一項に記載の方法。
【請求項８】
前記複数の第１のエネルギ調節モジュールおよび前記複数の第２のエネルギ調節モジュールの各々は、
エネルギ調節器と、エネルギ調節プログラムと
を備える群から選択される、請求項５に記載の方法。
【請求項９】
前記複数の第３のエネルギ調節モジュールの各々は、
エネルギ調節器と、エネルギ調節プログラムと
を備える群から選択される、請求項７に記載の方法。
【請求項１０】
それ自体に記憶されるコンピュータプログラムを有する非一時的コンピュータ可読媒体であって、前記コンピュータプログラムがデバイスによって実行されるとき、前記デバイスが請求項１から９のいずれか一項に記載の方法を実行するようになる、非一時的コンピュータ可読媒体。
【請求項１１】
メモリ（１１００）と、プロセッサ（１２００）と、前記メモリ（１１００）に記憶されて前記プロセッサ（１２００）上で実行可能なコンピュータプログラム（１３００）とを備える端末装置（１０００）であって、前記プロセッサ（１２００）が前記コンピュータプログラム（１３００）を実行するとき、前記端末装置（１０００）は請求項１から９のいずれか一項に記載の方法を実行するようになる、端末装置（１０００）。
【発明の詳細な説明】
【技術分野】
【０００１】
関連する出願の参照
本出願は２０１７年６月１９日に出願された中国特許出願第２０１７１０４６７２７８．３号の優先権に基づき、これを主張する。当該中国特許出願の全内容は参照によって本明細書に援用される。
【０００２】
本開示は画面表示技術に関し、特に、ＲＧＢ光スペクトルエネルギ再構成に基づいて色温度を調節する方法、非一時的コンピュータ可読記憶媒体および端末装置に関する。
【背景技術】
【０００３】
現在、端末装置の画面は一般的には赤色、緑色および青色の３色を重ねることによって異なる色を表示する。青色は短波長の青色光を指し、黄斑症などの眼科疾患を引き起こす場合がある。したがって、ほとんどの製造者によって、青色光フィルタリングによる疾患から眼を保護することが望まれている。
【発明の概要】
【発明が解決しようとする課題】
【０００４】
本開示は、ＲＧＢ光スペクトルエネルギ再構成に基づいて色温度を調節する方法、端末装置および非一時的コンピュータ可読記憶媒体に関する。
【課題を解決するための手段】
【０００５】
本開示の実施の形態では、ＲＧＢ光スペクトルエネルギ再構成に基づいて色温度を調節する方法であって、最初の状態の画面のＲＧＢ光スペクトルエネルギを検出する工程と、フィルタリングされる青色光の比率および適合予定の目標色温度に対応するＲＧＢ光スペクトルエネルギの再構成比率を、予め学習したＲＧＢ光スペクトルエネルギ分布情報にしたがって決定する工程と、再構成比率にしたがってＲＧＢ光スペクトルエネルギを調節することで、青色光フィルタリング操作を受けた画面のＲＧＢ光スペクトルエネルギが目標色温度に適合するようにする工程とを含む方法を提供する。
【０００６】
一実施の形態では、方法は、異なる色温度にそれぞれ対応する異なるＲＧＢ光スペクトルエネルギ分布状態を予め学習して、予め学習したＲＧＢ光スペクトルエネルギ分布情報を得る工程をさらに含む。
【０００７】
一実施の形態では、異なる色温度にそれぞれ対応する異なるＲＧＢ光スペクトルエネルギ分布状態を予め学習して、予め学習したＲＧＢ光スペクトルエネルギ分布情報を得る工程は、画面に青色光フィルタリング操作を行なって、フィルタリングされた青色光の比率を得る工程と、所定の色温度に適合するまで所定の色温度にしたがって最初の状態の画面のＲＧＢ光スペクトルエネルギを調節する工程と、ＲＧＢ光スペクトルエネルギ分布情報にテストデータを記録する工程であって、テストデータはフィルタリングされた青色光の比率、所定の色温度およびＲＧＢ光スペクトルエネルギの再構成比率の対応づけを備える、工程とを含む。
【０００８】
一実施の形態では、異なる色温度にそれぞれ対応する異なるＲＧＢ光スペクトルエネルギ分布状態を予め学習して、予め学習したＲＧＢ光スペクトルエネルギ分布情報を得る工程は、フィルタリングされた青色光の比率に対する複数の色温度をユーザに提示する工程と、複数の色温度に対してユーザによってフィードバックされる評価情報を受ける工程と、評価情報が肯定的である第１の色温度と、第１の色温度とともに提示されたＲＧＢ光スペクトルエネルギの比率とを決定する工程と、ＲＧＢ光スペクトルエネルギ分布情報にテストデータを記録する工程であって、テストデータはフィルタリングされた青色光の比率、第１の色温度およびＲＧＢ光スペクトルエネルギの比率の対応づけを備える、工程とを含む。
【０００９】
一実施の形態では、再構成比率にしたがってＲＧＢ光スペクトルエネルギを調節することで、青色光フィルタリング操作を受けた画面のＲＧＢ光スペクトルエネルギが目標色温度に適合するようにする工程は、青色光、緑色光および赤色光にそれぞれ対応する複数の第１のエネルギ調節モジュールによって再構成比率にしたがってＲＧＢ光スペクトルエネルギに対する最初の調節を行なう工程と、複数の第１のエネルギ調節モジュールによって最初に調節されたＲＧＢ光スペクトルエネルギに対するさらなる調節を、青色光、緑色光および赤色光にそれぞれ対応する複数の第２のエネルギ調節モジュールによって行なうことで、青色光フィルタリング操作を受けた画面のＲＧＢ光スペクトルエネルギが目標色温度に適合するようにする工程とを含む。
【００１０】
一実施の形態では、再構成比率にしたがってＲＧＢ光スペクトルエネルギを調節することで、青色光フィルタリング操作を受けた画面のＲＧＢ光スペクトルエネルギが目標色温度に適合するようにする工程は、青色光、緑色光および赤色光にそれぞれ対応する複数の第３のエネルギ調節モジュールによって再構成比率にしたがって画面のＲＧＢ光スペクトルエネルギを調節することで、青色光フィルタリング操作を受けた画面のＲＧＢ光スペクトルエネルギが目標色温度に適合するようにする工程を含む。
【００１１】
一実施の形態では、再構成比率にしたがってＲＧＢ光スペクトルエネルギを調節することで、青色光フィルタリング操作を受けた画面のＲＧＢ光スペクトルエネルギが目標色温度に適合するようにする工程は、青色光、緑色光および赤色光にそれぞれ対応する複数の第３のエネルギ調節モジュールによって最初の状態の画面のＲＧＢ光スペクトルエネルギを調節する工程と、画面の調節済みＲＧＢ光スペクトルエネルギにしたがって現在の色温度を取得し、現在の色温度が所定の色温度に適合するか否かを決定する工程と、現在の色温度が所定の色温度に適合しないときに、所定の色温度に適合するまで調節済みＲＧＢ光スペクトルエネルギを調節し続ける工程とを含む。
【００１２】
一実施の形態では、複数の第１のエネルギ調節モジュールおよび複数の第２のエネルギ調節モジュールの各々は、エネルギ調節器とエネルギ調節プログラムとを含む群から選択される。
【００１３】
一実施の形態では、複数の第３のエネルギ調節モジュールの各々は、エネルギ調節器とエネルギ調節プログラムとを含む群から選択される。
【００１４】
本開示の実施の形態では、それ自体に記憶されるコンピュータプログラムを有する非一時的コンピュータ可読記憶媒体を提供する。コンピュータプログラムがデバイスによって実行されるとき、デバイスは、上述されているＲＧＢ光スペクトルエネルギ再構成に基づいて色温度を調節する方法を実行するようになる。
【００１５】
本開示の実施の形態では、メモリと、プロセッサと、メモリに記憶されてプロセッサ上で実行可能なコンピュータプログラムとを含む端末装置を提供する。プロセッサがコンピュータプログラムを実行するとき、端末装置は、上述されているＲＧＢ光スペクトルエネルギ再構成に基づいて色温度を調節する方法を実行するようになる。
【００１６】
本開示の実施の形態のこれらの態様および利点ならびに他の態様および利点が、図面を参照してなされている以下の説明から明らかになり、より容易に理解されるようになる。
【図面の簡単な説明】
【００１７】
【図１】本開示の一実施の形態に係る、ＲＧＢエネルギの比率の変化による画面の色の変化を示す概略図である。
【図２】本開示の一実施の形態に係る、ＲＧＢ光スペクトルエネルギ再構成に基づいて色温度を調節する方法のフローチャートである。
【図３】本開示の一実施の形態に係る、色の変化とＲＧＢエネルギの比率の変化との関係を示す概略図である。
【図４】本開示の一実施の形態に係る、ＲＧＢ光スペクトルエネルギ分布の曲線を示す概略図である。
【図５】本開示の特定の実施の形態に係る、ＲＧＢ光スペクトルエネルギ再構成に基づいて色温度を調節する方法のフローチャートである。
【図６】本開示の一実施の形態に係る、ＲＧＢ光スペクトルエネルギ再構成に基づいて色温度を調節する装置のブロック図である。
【図７】本開示の別の実施の形態に係る、ＲＧＢ光スペクトルエネルギ再構成に基づいて色温度を調節する装置のブロック図である。
【図８】本開示のさらに別の実施の形態に係る、ＲＧＢ光スペクトルエネルギ再構成に基づいて色温度を調節する装置のブロック図である。
【図９】本開示の一実施の形態に係る端末装置のブロック図である。
【発明を実施するための形態】
【００１８】
以下、例示的な実施の形態を詳細に参照する。例示的な実施の形態の例が添付の図面に説明されている。図面にわたって、同じ符号または類似の符号は同じ要素または類似の要素もしくは同じ機能または類似の機能を有する要素を表わす。図面を参照して以下で説明されている実施の形態は例示的にすぎず、また、本開示を説明するために用いられているにすぎず、本開示に対する限定として理解するべきではない。
【００１９】
本開示の実施の形態に係る、ＲＧＢ光スペクトルエネルギ再構成に基づいて色温度を調節する方法、ＲＧＢ光スペクトルエネルギ再構成に基づいて色温度を調節する装置および端末装置を添付の図面を参照して以下で説明する。
【００２０】
青色光の一部がフィルタリングされた後にＲＧＢの比率が変化するが、この変化は、画面の色温度が変化する場合があることが明らかであるような変化であり、したがって、画面の色の変化がもたらされる。したがって、どのようにして自然になるように色を変化させてユーザに適切な見え方を提供するかが解決すべき差し迫った課題である。
【００２１】
青色光フィルタ操作が行なわれた後は、ＲＧＢエネルギの比率が変化するので、画面が青色光フィルタリング操作を受けた後、画面の色が変化する。たとえば、図１に示されているように、青色光（Ｂ）がフィルタリングで除かれると、画面の色が黄色になるように赤色光および緑色光（Ｒ＋Ｇ）のみが残る。画面の色が黄色に急激に変化するので、ユーザの視覚に不快な見え方が生じ、画面の色が不自然になる。
【００２２】
上記の技術的課題を解決するために、本開示では、青色光フィルタリングと画面の色に関する適切な視覚効果との両方を実現することができるので、青色光フィルタリングの後に画面の色が自然になるように変化することを保証する、ＲＧＢ光スペクトルエネルギ再構成に基づいて色温度を調節する方法を提供する。
【００２３】
以下、本開示によって提供される、ＲＧＢ光スペクトルエネルギ再構成に基づいて色温度を調節する方法を特定の実施の形態と組み合わせて説明する。本開示によって提供される、ＲＧＢ光スペクトルエネルギ再構成に基づいて色温度を調節する方法の実行対象は、ＲＧＢ光スペクトルエネルギ再構成に基づいて色温度を調節する装置を指す。ＲＧＢ光スペクトルエネルギ再構成に基づいて色温度を調節する装置は、携帯電話器、コンピュータ、ＰＡＤ、ウェアラブルデバイスなどの表示画面を有する端末装置であってもよく、これらは適用要件に応じて選択してもよい。
【００２４】
図２は本開示の一実施の形態に係る、ＲＧＢ光スペクトルエネルギ再構成に基づいて色温度を調節する方法のフローチャートを示す。
【００２５】
図２に示されているように、方法は以下を含む。
【００２６】
ブロックＳ１１０で、最初の状態の画面のＲＧＢ光スペクトルエネルギを検出する。
【００２７】
異なる適用例で、画面が最初の状態にあるときのＲＧＢ光スペクトルエネルギに対して異なる分布状態が存在する場合がある。いくつかの適用例では、画面の最初の状態は、端末装置の製造時現在の白色画面状態（赤色光、緑色光および青色光（ＲＧＢ）に対する光スペクトルエネルギが均一に分布する）などの、色の変化を引き起こす操作が行なわれていない状態に対応する。いくつかの適用例では、端末装置が一旦使用されると、これに対応して、現在の環境に適応するように端末装置の色温度を調節することができる。この場合、画面の最初の状態は、画面の色温度が一般的な環境状況（たとえば、ユーザが操作を行なう場合が多いオフィスでの環境状況）にしたがって調節されている状態に対応する。
【００２８】
いくつかの実施の形態では、最初の状態の画面のＲＧＢ光スペクトルエネルギを検出する。たとえば、最初の状態の画面のＲＧＢ光スペクトルエネルギ分布の曲線を色分析器ＣＡ−３１０によって検出する。その後に最初の状態の画面のＲＧＢ光スペクトルエネルギは、ＲＧＢエネルギ分布を調節するための基準値として用いることができる。
【００２９】
ブロックＳ１２０で、フィルタリングされる青色光の比率および適合予定の目標色温度に対応するＲＧＢ光スペクトルエネルギの再構成比率を、予め学習したＲＧＢ光スペクトルエネルギ分布情報にしたがって決定する。
【００３０】
異なる色温度にそれぞれ対応する異なるＲＧＢ光スペクトルエネルギ分布状態を予め学習することができる。たとえば、色温度が２０００Ｋであるときに、画面の色に違和感がない色であるＲＧＢ光スペクトルエネルギ分布状態を予め学習する。色温度が３０００Ｋであるときに、画面の色に違和感がない色であるＲＧＢ光スペクトルエネルギ分布状態を予め学習する、などである。
【００３１】
異なる適用例で、ＲＧＢ光スペクトルエネルギ分布情報を学習するのに異なる方法を用いることができ、これを以下で説明する。
【００３２】
第１の例
画面に青色光フィルタリング操作を行ない、フィルタリングされた青色光の比率を取得し、所定の色温度に適合するまで所定の色温度にしたがって最初の状態の画面のＲＧＢ光スペクトルエネルギを調節する。図３を参照して、ＲＧＢの異なる色を重ねると、異なる色を形成することができる。図３に示されているように、緑色と青色とを組み合わせるとシアン色を得ることができる。赤色と緑色とを組み合わせると黄色を得ることができる。最初の状態の画面のＲＧＢ光スペクトルエネルギは青色光、緑色光および赤色光にそれぞれ対応するエネルギ調節モジュールによって調節される。現在の色温度は画面の調節済みＲＧＢ光スペクトルエネルギにしたがって得られ、現在の色温度が所定の色温度に適合するか否かが決定される。現在の色温度が所定の色温度に適合しない場合、所定の色温度に適合するまでＲＧＢ光スペクトルエネルギの調節を続ける。
【００３３】
実際に実行する際には、ユーザの視覚および趣向が変化するので、以前に学習したＲＧＢ光スペクトルエネルギ分布情報はユーザの現在の視覚要求に適応しない場合がある。この場合、予め学習したＲＧＢ光スペクトル分布情報がユーザの個人別の要求に適応するように、色温度に違和感がないとユーザが感じるそのときの調節済みＲＧＢ光スペクトルエネルギ分布状態を記録して学習することで、ユーザの感じ方をさらに改善する。
【００３４】
ＲＧＢ光スペクトル分布情報に記録されるテストデータは、フィルタリングされた青色光の比率、所定の色温度およびＲＧＢ光スペクトルエネルギの再構成比率の対応づけを含んでもよい。
【００３５】
たとえば、画面に青色光フィルタリング操作が行なわれた後、フィルタリングされた青色光の比率がａとして得られ、フィルタリングされた青色光の当該比率に対して、ユーザに適切な見え方を提供する所定の色温度が３０００Ｋとして設定される。この場合、最初の状態の画面のＲＧＢ光スペクトルエネルギを所定の色温度にしたがって調節する。図４に示されているＲＧＢ光スペクトルエネルギ分布の曲線群から、調節済みＲＧＢ光スペクトルエネルギ分布と、最初の状態の画面のＲＧＢ光スペクトルエネルギ分布の曲線に対する調節済みＲＧＢ光スペクトルエネルギ分布の曲線の比較とを得ることができる。図４中、指示されている最初の状態の画面のＲＧＢ光スペクトルエネルギ分布の曲線以外の他の曲線は、異なる所定の色温度に対応するＲＧＢ光スペクトル分布を指す。３０００Ｋの色温度に適合するようにＲＧＢ光スペクトルエネルギが調節されると、フィルタリングされた青色光の比率、所定の色温度およびＲＧＢ光スペクトルエネルギの再構成比率がＲＧＢ光スペクトル分布情報に記録される。
【００３６】
第２の例
フィルタリングされた青色光の各比率に対応する異なる色温度をユーザに提示することができ、異なる色温度に対してユーザがフィードバックする評価情報を受ける。フィルタリングされた青色光の各比率について、フィルタリングされた青色光のその比率に対してユーザに最も適切な見え方を提供する色温度として、最も高く評価された色温度を構成することができ、さらに、ユーザに最も適切な見え方を提供する色温度に対応するＲＧＢ光スペクトルエネルギの再構成比率を記録する。
【００３７】
フィルタリングされる青色光の比率および適合予定の目標色温度に対応するＲＧＢ光スペクトルエネルギの再構成比率を、予め学習したＲＧＢ光スペクトルエネルギ分布情報にしたがって決定することができる。目標色温度は、フィルタリングされる青色光の比率に対して最も違和感がない見え方をユーザに提供する色温度であってもよく、大量の実験データにしたがって指定される。
【００３８】
ブロックＳ１３０で、ＲＧＢ光スペクトルエネルギを再構成比率にしたがって調節して、青色光フィルタリング操作を受けた画面のＲＧＢ光スペクトルエネルギが目標色温度に適合することを可能にする。
【００３９】
いくつかの実施の形態では、ＲＧＢ光スペクトルエネルギを再構成比率にしたがって調節することで、青色光フィルタリング操作を受けた画面のＲＧＢ光スペクトルエネルギが目標色温度に適合し、かつ青色光がフィルタリングで除かれることを保証する。
【００４０】
異なる適用例で、再構成比率にしたがってＲＧＢ光スペクトルエネルギを調節する異なる仕方を採用して、青色光フィルタリング操作を受けた画面のＲＧＢ光スペクトルエネルギが目標色温度に適合することを保証してもよい。
【００４１】
可能な実施の形態として、ＲＧＢ光スペクトルエネルギに対して粗い調節および細かい調節を行なう。
【００４２】
本実施の形態では、再構成比率にしたがって青色光、緑色光および赤色光にそれぞれ対応する複数の第１のエネルギ調節モジュールによってＲＧＢ光スペクトルエネルギに最初の調節を行なう。複数の第１のエネルギ調節モジュールによって調節されたＲＧＢ光スペクトルエネルギに青色光、緑色光および赤色光にそれぞれ対応する複数の第２のエネルギ調節モジュールによって補正調節を行なうことで、青色光操作を受けた画面のＲＧＢ光スペクトルエネルギが目標色温度に適合することを可能にする。
【００４３】
たとえば、再構成比率を、２５７０Ｋの色温度に対応する再構成比率として決定した後に、調節の負荷を軽減するために、まず色温度を２５００Ｋの色温度に対応する再構成比率に調節し、さらに、色温度を２５７０Ｋまで届かせるようにＲＧＢ光スペクトルエネルギの比率を調節する。
【００４４】
目標色温度に適合するまで、粗い調節および細かい調節を含む調節処理を多数回繰り返し行なってもよい。
【００４５】
別の実施の形態として、ＲＧＢ光スペクトルエネルギの再構成比率の計算値にしたがってＲＧＢ光スペクトルエネルギを直接調節する。この場合、熟練した操作経験と、各個が高性能であるエネルギ調節モジュールとが必要である。
【００４６】
本実施の形態では、ＲＧＢ光スペクトルエネルギの再構成比率にしたがって、青色光、緑色光および赤色光にそれぞれ対応するエネルギ調節モジュールによってＲＧＢ光スペクトルエネルギを調節する。これにより、青色光フィルタリング操作を受けた画面のＲＧＢ光スペクトルエネルギが目標色温度に適合することを保証する。
【００４７】
上記のエネルギ調節モジュールは、ＲＧＢ光スペクトルエネルギ調節を実現することができるエネルギ調節器（ｅｎｅｒｇｙ  ａｄｊｕｓｔｏｒ）やエネルギ調節プログラムであってもよい。本明細書ではこれらを限定しない。
【００４８】
当業者によってよりよく本開示が理解されるようにするために、ＲＧＢ光スペクトルエネルギに基づいて色温度を調節する方法の実行処理を特定の適用例と組み合わせて以下で説明する。
【００４９】
図５に示されているように、最初の状態の画面のＲＧＢ光スペクトルエネルギ分布の曲線を検出し、フィルタリングされる青色光の比率および適合予定の目標色温度に対応するＲＧＢ光スペクトルエネルギの再構成比率をＲＧＢ光スペクトルエネルギ分布の予め学習した曲線にしたがって決定する。決定された再構成比率にしたがって色温度を調節することができるアプリケーションａｐｋによってＲＧＢエネルギの比率に最初の調節を行なう。最初の調節の後、目標色温度に適合するように、色温度を調節することができるアプリケーションａｐｋによってＲＧＢエネルギの比率に細かい調節を行なう。目標色温度に基づいて表示するように画面を制御する。このようにして、青色光の一部をフィルタリングで除くことができるだけでなく、単に青色光をフィルタリングで除くことしかしないのと比較して画面の色がより違和感なく自然になるようにＲＧＢ光スペクトルエネルギが再構成される。この再構成は、視覚の疲労をやわらげることができ、脳が完全にリラックスし得るようなものであり、免疫学的機能、反応力（ｒｅａｇｅｎｃｙ）、リテンションおよび調整能力を高め、糖尿病、心臓病、ガン、肥満、胃弱、便秘症、鬱病（ｔｒｉｓｔｉｍａｎｉａ）などの可能性を下げることに寄与する。
【００５０】
まとめると、ＲＧＢ光スペクトルエネルギ再構成に基づいて色温度を調節する方法を用いれば、最初の状態の画面のＲＧＢ光スペクトルエネルギを検出し、フィルタリングされる青色光の比率および適合予定の目標色温度に対応するＲＧＢ光スペクトルエネルギの再構成比率を、予め学習したＲＧＢ光スペクトルエネルギ分布情報にしたがって決定し、再構成比率にしたがってＲＧＢ光スペクトルエネルギを調節することで、青色光フィルタリング操作を受けた画面のＲＧＢ光エネルギが目標色温度に適合することが可能になる。このようにして、より違和感がなく自然な色温度と色の変化とを実現することができるとともに、青色光の害悪を低減することができる。したがって、バイタリティの低い身体に対して身体のメラトニンを分泌して、その者をリラックスさせることが促進されるだけでなく、より適切な見え方がユーザに提供される。
【００５１】
上記の目的を達成するために、本開示ではＲＧＢ光スペクトルエネルギ再構成に基づいて色温度を調節する装置をさらに提供する。
【００５２】
図６は本開示の一実施の形態に係る、ＲＧＢ光スペクトルエネルギ再構成に基づいて色温度を調節する装置のブロック図を示す。
【００５３】
図６に示されているように、装置は検出モジュール１００、決定モジュール２００および処理モジュール３００を含む。
【００５４】
検出モジュール１００は、最初の状態の画面のＲＧＢ光スペクトルエネルギを検出するように構成されている。
【００５５】
決定モジュール２００は、予め学習したＲＧＢ光スペクトルエネルギ分布情報にしたがってフィルタリングされる青色光の比率および適合予定の目標色温度に対応するＲＧＢ光スペクトルエネルギの再構成比率を決定するように構成されている。
【００５６】
処理モジュール３００は、再構成比率にしたがってＲＧＢ光スペクトルエネルギを調節することで、青色光フィルタリング操作を受けた画面のＲＧＢ光スペクトルエネルギが目標色温度に適合することを可能にするように構成されている。
【００５７】
本開示の一実施の形態では、図７に示されているように、図６に関して説明されている実施の形態に基づいて、装置は取得モジュール４００と記録モジュール５００とをさらに含む。
【００５８】
取得モジュール４００は、フィルタリングされる青色光の比率および適合予定の目標色温度に対応する再構成比率を、予め学習したＲＧＢ光スペクトルエネルギ分布情報にしたがって決定する前に、画面に青色光フィルタリング操作を行なって、フィルタリングされた青色光の比率を得るように構成されている。
【００５９】
一実施の形態では、処理モジュール３００は、所定の色温度に適合するまで所定の色温度にしたがって最初の状態の画面のＲＧＢ光スペクトルエネルギを調節するようにさらに構成されている。
【００６０】
記録モジュール５００は、ＲＧＢ光スペクトルエネルギ分布情報にテストデータを記録するように構成されている。テストデータは、フィルタリングされた青色光の比率、所定の色温度およびＲＧＢ光スペクトルエネルギの再構成比率の対応づけを含む。
【００６１】
本開示の実施の形態では、図８に示されているように、図６に関して説明されている実施の形態に基づいて、処理モジュール３００は第１の調節ユニット３１０と第２の調節ユニット３２０とを含む。
【００６２】
第１の調節ユニット３１０は、青色光、緑色光および赤色光にそれぞれ対応する複数の第１のエネルギ調節モジュールによって再構成比率にしたがってＲＧＢ光スペクトルエネルギに対する最初の調節を行なうように構成されている。
【００６３】
第２の調節ユニット３２０は、青色光、緑色光および赤色光にそれぞれ対応する複数の第２のエネルギ調節モジュールによって、複数の第１のエネルギ調節モジュールによって調節されたＲＧＢ光スペクトルエネルギに対するさらなる調節を行なうことで、青色光フィルタリング操作を受けた画面のＲＧＢ光スペクトルエネルギが目標色温度に適合するようにするように構成されている。
【００６４】
上述されているＲＧＢ光スペクトルエネルギ再構成に基づいて色温度を調節する方法の説明は、ＲＧＢ光スペクトルエネルギ再構成に基づいて色温度を調節する装置にも好適であり、原理は同じである。この原理はここでは説明しない。
【００６５】
まとめると、ＲＧＢ光スペクトルエネルギ再構成に基づいて色温度を調節する装置を用いれば、最初の状態の画面のＲＧＢ光スペクトルエネルギを検出し、フィルタリングされる青色光の比率および適合予定の目標色温度に対応するＲＧＢ光スペクトルエネルギの再構成比率を、予め学習したＲＧＢ光スペクトルエネルギ分布情報にしたがって決定し、再構成比率にしたがってＲＧＢ光スペクトルエネルギを調節することで、青色光フィルタリング操作を受けた画面のＲＧＢ光エネルギが目標色温度に適合することが可能になる。このようにして、より違和感がなく自然な色温度と色の変化とを実現することができるとともに、青色光の害悪を低減することができる。したがって、バイタリティの低い身体に対して身体のメラトニンを分泌して、その者をリラックスさせることが促進されるだけでなく、より適切な見え方がユーザに提供される。
【００６６】
上記の実施の形態を実現するために、本開示では端末装置をさらに提供する。図９は本開示の一実施の形態に係る端末装置のブロック図を示す。図９に示されているように、端末装置１０００はメモリ１１００と、プロセッサ１２００と、メモリ１１００に記憶されてプロセッサ１２００上で実行可能なコンピュータプログラム１３００とを含んでもよい。プロセッサ１２００がコンピュータプログラム１３００を実行して、上述されているＲＧＢ光スペクトルエネルギ再構成に基づいて色温度を調節する方法を実現することができる。
【００６７】
まとめると、端末装置を用いれば、最初の状態の画面のＲＧＢ光スペクトルエネルギを検出し、フィルタリングされる青色光の比率および適合予定の目標色温度に対応するＲＧＢ光スペクトルエネルギの再構成比率を、予め学習したＲＧＢ光スペクトルエネルギ分布情報にしたがって決定し、再構成比率にしたがってＲＧＢ光スペクトルエネルギを調節することで、青色光フィルタリング操作を受けた画面のＲＧＢ光エネルギが目標色温度に適合することが可能になる。このようにして、より違和感がなく自然な色温度と色の変化とを実現することができるとともに、青色光の害悪を低減することができる。したがって、バイタリティの低い身体に対して身体のメラトニンを分泌して、その者をリラックスさせることが促進されるだけでなく、より適切な見え方がユーザに提供される。
【００６８】
上記の実施の形態を実現するために、本開示では、それ自体に記憶されるコンピュータプログラムを有する非一時的コンピュータ可読記憶媒体をさらに提供する。コンピュータプログラムがプロセッサによって実行されるとき、上述されているＲＧＢ光スペクトルエネルギ再構成に基づいて色温度を調節する方法を実現することができる。
【００６９】
本明細書にわたって「一実施の形態」、「いくつかの実施の形態」、「一例」、「特定の例」または「いくつかの例」に言及することは、当該実施の形態または例に関連して説明される特定の特徴、構成、材料または特性が本開示の少なくとも１つの実施の形態または例に含まれることを意味する。本明細書では、前述の用語の例示的な説明は同じ実施の形態または例に必ずしも適用されていない。さらに、１つ以上の実施の形態または例で特定の特徴、構成、材料または特性を任意の適切な手法で組み合わせてもよい。さらに、当業者であれば、本開示で説明されている異なる実施の形態を組み合わせたり、実施の形態もしくは例中の異なる特性を組み合わせたりすることができる。
【００７０】
さらに、「第１」および「第２」の用語は説明のために用いられるにすぎず、相対的な重要度を示したり示唆したり、示されている技術的特徴の数を示したり示唆したりするとみなすことはない。したがって、「第１」および「第２」を用いて定義される特徴は、当該特徴の少なくとも一方を備えたり示唆したりしてもよい。本開示の説明では、特に明記しない限り、「複数の」は２以上を意味する。
【００７１】
フローチャートで説明されていたり別様に本明細書で説明されていたりする任意のプロセスまたは方法は、プロセス中の特定の論理的機能または工程を実現する実行可能指示のコードの１つ以上のモジュール、セグメントまたは部分を含むと解することができる。また、本開示の好ましい実施の形態の範囲には他の実現例が含まれ、他の実現例では、実行順序が図示されていたり説明されていたりする順序と異なってもよく、また、他の実現例は、関与する機能に応じて、機能を発揮するのに同時に実行したり部分的に同時に実行したり反対の順序で実行したりすることを含む。これは、当業者によって当然理解される。
【００７２】
本明細書で別様に説明されていたり、フローチャート、たとえば、論理的機能を実現する実行可能指示の特定のシーケンス表に示されていたりするロジックおよび／または工程は、特に、指示実行システム、デバイスまたは装置（コンピュータを基礎とするシステムなど。当該システムは、指示実行システム、デバイスおよび装置から指示を得て指示を実行することができるプロセッサまたは他のシステムを備える。）によって用いられたり、指示実行システム、デバイスおよび装置と組み合わせて用いられたりする任意のコンピュータ可読媒体中で実現してもよい。本明細書に関して言えば、「コンピュータ可読媒体」は、プログラムを含んだり記憶したり伝えたりプロパゲートしたり移動させたりすることに対応可能であって、指示実行システム、デバイスまたは装置によって用いられたりこれと組み合わせて用いられたりする任意のデバイスであってもよい。  コンピュータ可読媒体のより具体的な例は、１系統以上の有線を用いる電子接続物（電子デバイス）、ポータブルコンピュータ内蔵物（ｐｏｒｔａｂｌｅ  ｃｏｍｐｕｔｅｒ  ｅｎｃｌｏｓｕｒｅ）（磁気デバイス）、ランダムアクセスメモリ（ＲＡＭ）、読出し専用メモリ（ＲＯＭ）、消去可能プログラマブル読出し専用メモリ（ＥＰＲＯＭまたはフラッシュメモリ）、光ファイバデバイスおよびポータブルコンパクトディスク読出し専用メモリ（ＣＤＲＯＭ）を備えるが、これらに限定されない。これに加えて、コンピュータ可読媒体は、プログラムを印刷可能な紙媒体または他の適切な媒体でさえあってもよい。これは、たとえば、紙媒体または他の適切な媒体に対して、電気的な手法でプログラムを得ることが必要なときに、光学スキャンを行なった後に編集、解読や他の適切な方法での処理を行なうことができ、その後、プログラムをコンピュータメモリに記憶させることができるからである。
【００７３】
本開示の各部分をハードウェア、ソフトウェア、ファームウェアまたはこれらの組合せによって実現してもよいと当然解する。上記の実施の形態では、メモリに記憶されて、適切な指示実行システムによって実行されるソフトウェアまたはファームウェアによって複数の工程または方法を実現してもよい。たとえば、ハードウェアによって実現される場合、別の実施の形態において同様に工程または方法を実現してもよく、本技術において知られている技術物、すなわち、データ信号の論理機能を実現する論理ゲート回路を有する別体の論理回路、適切な組合せ論理ゲート回路を有する専用集積回路、プログラマブルゲートアレイ（ＰＧＡ）、フィールドプログラマブルゲートアレイ（ＦＰＧＡ）などのうちの１つまたはこれらの組合せによって工程または方法を実現してもよい。
【００７４】
本開示のために例示されている上記の方法の工程の全部または一部を、プログラムを用いて関連ハードウェアに命令することによって実現してもよく、プログラムをコンピュータ可読記憶媒体に記憶してもよく、プログラムがコンピュータ上で実行される場合に本開示の方法実施の形態中の工程のうちの１つまたはこれらの組合せをプログラムが含むと当業者が解することに疑いはない。
【００７５】
これに加えて、本開示の実施の形態の各機能セルを処理モジュールに組み込んでもよいし、これらのセルが別々の物理的存在であってもよいし、あるいは、２つ以上のセルを処理モジュールに組み込む。組み込みモジュールをハードウェアの形態で実現しても、ソフトウェア機能モジュールの形態で実現してもよい。組み込みモジュールをソフトウェア機能モジュールの形態で実現してスタンドアローン製品として販売したり使用したりする場合、組み込みモジュールをコンピュータ可読記憶媒体に記憶してもよい。
【００７６】
上述の記憶媒体は読出し専用メモリ、磁気ディスク、ＣＤなどであってもよい。
【００７７】
本開示の実施の形態が上記に示されて説明されているが、上記の実施の形態は単なる説明的なものにすぎず、本開示を限定すると解釈されることはないと当然解する。当業者は本開示の精神、原理および範囲を逸脱しない範囲で実施の形態に変形、代替および修正を行なうことができる。
【図１】
2020505631.tif 000003
【図２】
2020505631.tif 000004
【図３】
2020505631.tif 000005
【図４】
2020505631.tif 000006
【図５】
2020505631.tif 000007
【図６】
2020505631.tif 000008
【図７】
2020505631.tif 000009
【図８】
2020505631.tif 000010
【図９】
2020505631.tif 000011
【国際調査報告】
2020505631.tif 000012
2020505631.tif 000013